(57)【要約】【課題】車両搭載用などのワイヤハーネスを構成するコネクタの小型化及び軽量化を図ることができるコネクタ組付け構造を提供する。【解決手段】端子収容室２１と端子収容室２１に開口するランス進入孔２４及びリテーナ挿入孔２６が設けられたコネクタハウジング２と、端子収容室２１に挿入によって収容される端子３と、リテーナ挿入孔２６に挿入され、端子収容室２１内の端子３に係止されて端子３の挿入逆方向への移動を阻止するリテーナ４とを備えたコネクタ５と、コネクタハウジング２に着脱自在に設けられ、コネクタハウジング２に装着状態で、ランス進入孔２４より端子収容室２１に進入する可撓係止ランス６１、７１を有するコネクタ組付け治具６、７とを備えた。【選択図】図１
2013218822.tif 000002
【特許請求の範囲】
【請求項１】
端子収容室と前記端子収容室にそれぞれ開口するランス進入孔及びリテーナ挿入孔が設けられたコネクタハウジングと、前記端子収容室に挿入によって収容される端子と、前記リテーナ挿入孔に挿入され、前記端子収容室に収容された前記端子に係止されて前記端子の挿入逆方向への移動を阻止するリテーナとを備えたコネクタと、
前記コネクタハウジングに着脱自在に設けられ、前記コネクタハウジングに装着状態で、前記ランス進入孔より前記端子収容室に進入する可撓係止ランスを有するコネクタ組付け治具とを備えたことを特徴とするコネクタ組付け構造。
【請求項２】
請求項１に記載のコネクタ組付け構造であって、
前記コネクタ組付け治具は、複数の前記可撓係止ランスを有することを特徴とするコネクタ組付け構造。
【請求項３】
請求項１又は請求項２に記載のコネクタ組付け構造であって、
前記コネクタ組付け治具は、上下一対で構成されていることを特徴とするコネクタ組付け構造。
【請求項４】
コネクタハウジングにコネクタ組付け治具を装着し、前記コネクタ組付け治具の可撓係止ランスが前記コネクタハウジングのランス進入孔より端子収容室に挿入される治具セット工程と、
前記コネクタハウジングの前記端子収容室に端子を挿入によって収容し、収容された前記端子に前記可撓係止ランスが係止されて前記端子の挿入逆方向への移動を阻止する端子収容工程と、
前記コネクタハウジングのリテーナ挿入孔にリテーナを挿入し、前記リテーナが前記端子に係止されて前記端子の挿入逆方向への移動を阻止するリテーナ挿入工程と、
前記コネクタ組付け治具を前記コネクタハウジングより取り外す治具取り外し工程とを備えたことを特徴とするコネクタ組付け方法。
【発明の詳細な説明】
【技術分野】
【０００１】
本発明は、車両搭載用などのワイヤハーネスを構成するコネクタの組付け構造及び組付け方法に関する。
【背景技術】
【０００２】
従来より、車両搭載用などのワイヤハーネスを構成するコネクタが種々提案されている（例えば、特許文献１参照）。かかるコネクタの一従来例として、図２３及び図２４に示すものがある。このコネクタは、複数の端子１０１をそれぞれ収容する端子収容室１０２と端子収容室１０２に直交するスペーサ挿入空間１０３とを有する合成樹脂製のコネクタハウジング１０４と、端子収容室１０２に対応する複数の端子挿通孔１０５を有し、スペーサ挿入空間１０３に挿入される合成樹脂製の端子係止スペーサ１０６とから構成されている。
【０００３】
各端子収容室１０２には下壁から一体に可撓係止ランス１０７が突設され、この可撓係止ランス１０７は端子１０１に係合して後抜けを阻止する。また、各端子収容室１０２の前側開口には、端子１０１の前方への抜けを阻止するストッパ壁１０９が設けられている。
【０００４】
上記構成では、図２３に示すように、端子係止スペーサ１０６が仮係止状態にあるとき、端子１０１は、端子係止スペーサ１０６の端子挿通孔１０５を経て端子収容室１０２の先端部分に設けられたストッパ壁１０９に当接して停止する。同時に、端子１０１が端子収容室１０２内の可撓係止ランス１０７に係合して一次係止する。次いで、図２４に示すように、端子係止スペーサ１０６を仮係止状態から押し下げることにより係止状態となり、端子１０１の後段部１１０が端子係止スペーサ１０６に係合して端子１０１の後抜けが阻止される（二次係止）。
【０００５】
上記したコネクタ（いわゆる二重係止コネクタ）では、端子１０１の後抜けが可撓係止ランス１０７及び端子係止スペーサ１０６により二重に阻止されるので、一般に次のように用いられる。すなわち、ワイヤハーネス製造時に端子収容室１０２に収容される端子１０１を簡易的に保持するため、端子収容室１０２内の可撓係止ランス１０７による一次係止が行なわれる。また、コネクタの車両搭載時に端子１０１を電線引張り強度に耐える状態に保持するため、端子係止スペーサ１０６による二次係止が行なわれると共に、端子収容室１０２内の可撓係止ランス１０７により補助的に係止される。
【先行技術文献】
【特許文献】
【０００６】
【特許文献１】特開平８−５０９５３号公報
【発明の概要】
【発明が解決しようとする課題】
【０００７】
しかしながら、上記従来例では、コネクタハウジング１０４に可撓係止ランス１０７を設けるので、コネクタハウジング１０４の重量が増えると共に、可撓係止ランス１０７の可動スペースをコネクタハウジング１０４内に設けるので、コネクタハウジング１０４が大型化するという問題があった。
【０００８】
そこで、本発明は、前記した課題を解決すべくなされたものであり、コネクタの小型化及び軽量化を図ることができるコネクタ組付け構造及びコネクタ組付け方法を提供することを目的とする。
【課題を解決するための手段】
【０００９】
本発明のコネクタ組付け構造は、端子収容室と前記端子収容室にそれぞれ開口するランス進入孔及びリテーナ挿入孔が設けられたコネクタハウジングと、前記端子収容室に挿入によって収容される端子と、前記リテーナ挿入孔に挿入され、前記端子収容室に収容された前記端子に係止されて前記端子の挿入逆方向への移動を阻止するリテーナとを備えたコネクタと、前記コネクタハウジングに着脱自在に設けられ、前記コネクタハウジングに装着状態で、前記ランス進入孔より前記端子収容室に進入する可撓係止ランスを有するコネクタ組付け治具とを備えたことを特徴とする。
【００１０】
前記コネクタ組付け治具は、複数の前記可撓係止ランスを有するものを含む。
【００１１】
前記コネクタ組付け治具は、上下一対で構成されているものを含む。
【００１２】
また、本発明のコネクタ組付け方法は、コネクタハウジングにコネクタ組付け治具を装着し、前記コネクタ組付け治具の可撓係止ランスが前記コネクタハウジングのランス進入孔より端子収容室に挿入される治具セット工程と、前記コネクタハウジングの前記端子収容室に端子を挿入によって収容し、収容された前記端子に前記可撓係止ランスが係止されて前記端子の挿入逆方向への移動を阻止する端子収容工程と、前記コネクタハウジングのリテーナ挿入孔にリテーナを挿入し、前記リテーナが前記端子に係止されて前記端子の挿入逆方向への移動を阻止するリテーナ挿入工程と、前記コネクタ組付け治具を前記コネクタハウジングより取り外す治具取り外し工程とを備えたことを特徴とする。
【発明の効果】
【００１３】
本発明によれば、可撓係止ランスを有するコネクタ組付け治具をコネクタハウジングに装着した状態で、コネクタハウジングに端子及びリテーナを組み付けると、端子がリテーナによって係止状態とされ、その後、コネクタ組付け治具をコネクタハウジングから取り外す。これにより、コネクタハウジングに可撓係止ランスを設けることなく、端子の組み付け過程中の係止と組み付け後の係止が可能となり、コネクタハウジングから可撓係止ランス自体や可撓係止ランスの可動スペースを削除できるので、コネクタハウジング、端子及びリテーナから構成されるコネクタの小型化及び軽量化を図ることができる。
【図面の簡単な説明】
【００１４】
【図１】本発明の一実施形態を示し、コネクタ組付け構造の分解斜視図である。
【図２】本発明の一実施形態を示し、コネクタハウジングの斜視図である。
【図３】本発明の一実施形態を示し、コネクタハウジングの平面図である。
【図４】本発明の一実施形態を示し、コネクタハウジングの正面図である。
【図５】本発明の一実施形態を示し、コネクタハウジングの底面図である。
【図６】本発明の一実施形態を示し、コネクタハウジングの側面図である。
【図７】本発明の一実施形態を示し、下側のコネクタ組付け治具を装着したコネクタハウジングの斜視図である。
【図８】本発明の一実施形態を示し、コネクタ組付け治具及びコネクタハウジングの斜視図である。
【図９】本発明の一実施形態を示し、コネクタ組付け治具及びコネクタハウジングを下方から見た斜視図である。
【図１０】本発明の一実施形態を示し、コネクタ組付け治具及びコネクタハウジングの底面図である。
【図１１】本発明の一実施形態を示し、コネクタ組付け治具及びコネクタハウジングの平面図である。
【図１２】本発明の一実施形態を示し、コネクタ組付け治具及びコネクタハウジングの裏面図である。
【図１３】本発明の一実施形態を示し、図１２のＡ−Ａ線に沿う断面図である。
【図１４】本発明の一実施形態を示し、コネクタ組付け治具及びコネクタハウジングの側面図である。
【図１５】本発明の一実施形態を示し、下側の端子をコネクタハウジングの端子収容室に挿入する前の状態を示す斜視図である。
【図１６】本発明の一実施形態を示し、下側の端子をコネクタハウジングの端子収容室に挿入した状態を示す斜視図である。
【図１７】本発明の一実施形態を示し、リテーナをコネクタハウジングに挿入する前の状態を示す斜視図である。
【図１８】本発明の一実施形態を示し、リテーナをコネクタハウジングに挿入した状態を示す斜視図である。
【図１９】本発明の一実施形態を示し、リテーナをコネクタハウジングに挿入した状態を示す裏面図である。
【図２０】本発明の一実施形態を示し、下側の端子をコネクタハウジングの端子収容室に挿入した状態を示す断面図である。
【図２１】本発明の一実施形態を示し、下側の端子及び上側の端子をコネクタハウジングの端子収容室に挿入した状態を示す断面図である。
【図２２】本発明の一実施形態を示し、図１９のＢ−Ｂ線に沿う断面図である。
【図２３】一従来例を示し、仮係止状態にあるコネクタの断面図である。
【図２４】一従来例を示し、係止状態にあるコネクタの断面図である。
【発明を実施するための形態】
【００１５】
以下、本発明の実施形態を図面に基づいて説明する。
【００１６】
図１〜図２２は本発明の一実施形態を示す。本実施形態のコネクタ組付け構造１は、コネクタハウジング２、端子（雌型端子）３及びリテーナ４を有するコネクタ５と、コネクタハウジング２に装着される上下一対のコネクタ組付け治具６、７とを備えている。
【００１７】
コネクタハウジング２は合成樹脂材から略箱状に形成される。コネクタハウジング２の内部には、上下２段の複数の端子収容室２１が設けられている。各端子収容室２１には、端子３が挿入によって収容される。コネクタハウジング２の天板２２及び底板２３には、それぞれ端子収容室２１に開口するランス進入孔２４が設けられている。コネクタハウジング２の側板２５には、上下２段の全ての端子収容室２１に開口するリテーナ挿入孔２６が設けられている。つまり、リテーナ挿入孔２６は、全ての端子収容室２１に貫通している。
【００１８】
リテーナ４は、リテーナ挿入孔２６と同様の断面形状で、且つ、長尺状に形成されると共に、前端から上下方向にそれぞれ突出してリテーナ４の長手方向に延びる突起部４１を有する。また、リテーナ４は、リテーナ挿入孔２６を介してコネクタハウジング２内に端子収容室２１と直交する方向へ挿入され、リテーナ４の突起部４１が端子収容室２１に収容された端子３の電気接触部３１の段部３２に係止されることにより、端子３の挿入逆方向への移動、すなわち端子３の後抜けを阻止する。
【００１９】
上下一対のコネクタ組付け治具６、７は、コネクタハウジング２の上部及び下部にそれぞれ着脱自在に設けられており、コネクタ組付け治具６、７がコネクタハウジング２に装着された状態で、コネクタハウジング２の天板２２及び底板２３の各ランス進入孔２４より端子収容室２１に進入する複数の可撓係止ランス６１、７１をそれぞれ有する。上側の可撓係止ランス６１は、上側のコネクタ組付け治具６の天板６２と一体に突設され、可撓係止ランス６１が、上側の端子３の電気接触部３１の係止溝３３に係止されることにより、端子３の挿入逆方向への移動、すなわち端子３の後抜けを阻止する。同様に、下側の可撓係止ランス７１は、下側のコネクタ組付け治具６の底板７２と一体に突設され、可撓係止ランス７１が、下側の端子３の電気接触部３１の係止溝３３に係止されることにより、端子３の挿入逆方向への移動、すなわち端子３の後抜けを阻止する。
【００２０】
また、上下一対のコネクタ組付け治具６、７は、コネクタハウジング２に装着される際にコネクタハウジング２の位置決めを行なう位置決め部６３、７３と、一対のコネクタ組付け治具６、７の両方がコネクタハウジング２に装着された状態を保持するロック部６４、７４とを備えている。
【００２１】
次に、コネクタ５の組付け手順を説明する。まず治具セット工程として、図７に示すように、コネクタハウジング２の下部に下側のコネクタ組付け治具７を装着し、位置決め部７３によりコネクタハウジング２の位置決めを行ない、下側のコネクタ組付け治具７の可撓係止ランス７１をコネクタハウジング２の下側のランス進入孔２４より端子収容室２１に挿入する。
【００２２】
次に、図８に示すように、コネクタハウジング２の上部に上側のコネクタ組付け治具６を装着し、位置決め部６３によりコネクタハウジング２の位置決めを行ない、上側のコネクタ組付け治具６の可撓係止ランス６１をコネクタハウジング２の上側のランス進入孔２４より端子収容室２１に挿入する。また、ロック部６４、７４を重ね合わせることにより、一対のコネクタ組付け治具６、７の両方がコネクタハウジング２に装着された状態を保持する（図９〜図１４参照）。
【００２３】
次に、端子収容工程として、図１５及び図１６に示すように、コネクタハウジング２の端子収容室２１に後方より下側の端子３を挿入する。又、コネクタハウジング２の端子収容室２１に後方より上側の端子３を挿入すると、収容された端子３の電気接触部３１の係止溝３３に可撓係止ランス６１、７１が係止されて端子３の挿入逆方向への移動を阻止する。このようにしてワイヤハーネスの構成回路に必要な端子３を全て端子収容室２１に挿入して可撓係止ランス６１、７１を用いて一次係止を行ない、この状態で端子３を挿入逆方向へ引っ張ることにより、端子３が端子収容室２１内の所定位置まで挿入されていることを確認する。
【００２４】
次に、リテーナ挿入工程として、図１７に示すように、コネクタハウジング２のリテーナ挿入孔２６にリテーナ４を挿入する。すると、リテーナ４の突起部４１が端子収容室２１に収容された端子３の電気接触部３１の段部３２に係止されることにより、端子３の挿入逆方向への移動が阻止される（二次係止）。尚、端子３が端子収容室２１内の所定位置まで挿入されず中途位置にある場合、リテーナ４をコネクタハウジング２に挿通することができない。このため、リテーナ４の挿入により端子３が中途位置にあるかどうかを確認することができる。
【００２５】
次に、治具取り外し工程として、図１８に示すように、コネクタ組付け治具６、７をコネクタハウジング２より取り外す。これによって、コネクタ組付け治具６、７の可撓係止ランス６１、７１がコネクタハウジング２内の端子３より離脱するので、可撓係止ランス６１、７１による端子３の挿入逆方向への移動阻止が解除される。しかしながら、コネクタハウジング２のリテーナ挿入孔２６にリテーナ４が挿入されているので、引き続きリテーナ４により端子３の挿入逆方向への移動が阻止される。
【００２６】
最後に、コネクタハウジング２、端子３及びリテーナ４からなるコネクタ５の誤回路チェックを行ない、コネクタ５をワイヤハーネス構成部品として完成させる。このようにして完成したコネクタ５には、ワイヤハーネスの構成回路に必要な端子３が全て組み付けられており、これらの端子３を組み付けた状態がリテーナ４により保持される。
【００２７】
以上説明したように、可撓係止ランス６１、７１を有するコネクタ組付け治具６、７をコネクタハウジング２に装着した状態で、コネクタハウジング２に端子３及びリテーナ４を組み付けると、端子３がリテーナ４に係止され、その後に、コネクタ組付け治具６、７をコネクタハウジング２から取り外す。これにより、コネクタハウジング２に可撓係止ランスを設けることなく、端子３の組み付け過程中の係止と組み付け後の係止が可能となり、コネクタハウジング２から可撓係止ランス自体や可撓係止ランスの可動スペースを削除できるので、コネクタハウジング２、端子３及びリテーナ４から構成されるコネクタ５の小型化及び軽量化を図ることができる。
【００２８】
本実施形態では、上記したようにコネクタハウジング２から可撓係止ランス自体や可撓係止ランスの可動スペースを削除できるので、可撓係止ランスの金型加工費を減らしてコストダウンを図ることができる。
【００２９】
本実施形態では、リテーナ４をコネクタハウジング２のリテーナ挿入孔２６から引き出すことにより、コネクタハウジング２に端子３を組み付けた状態が解除されるので、コネクタ５を容易に分解でき、コネクタ５の解体性の向上を図ることができる。
【００３０】
コネクタ組付け治具６、７は、複数の可撓係止ランス６１、７１を有する。従って、複数の端子収容室２１を有するコネクタハウジング２に対応できる。
【００３１】
コネクタ組付け治具６、７は、上下一対で構成されている。従って、上下２段の端子収容室２１を有するコネクタハウジング２に対応できる。
【符号の説明】
【００３２】
１  コネクタ組付け構造
２  コネクタハウジング
３  端子（雌型端子）
４  リテーナ
５  コネクタ
６、７  コネクタ組付け治具
２１  端子収容室
２４  ランス進入孔
２６  リテーナ挿入孔
６１、７１  可撓係止ランス
【図１】
2013218822.tif 000003
【図２】
2013218822.tif 000004
【図３】
2013218822.tif 000005
【図４】
2013218822.tif 000006
【図５】
2013218822.tif 000007
【図６】
2013218822.tif 000008
【図７】
2013218822.tif 000009
【図８】
2013218822.tif 000010
【図９】
2013218822.tif 000011
【図１０】
2013218822.tif 000012
【図１１】
2013218822.tif 000013
【図１２】
2013218822.tif 000014
【図１３】
2013218822.tif 000015
【図１４】
2013218822.tif 000016
【図１５】
2013218822.tif 000017
【図１６】
2013218822.tif 000018
【図１７】
2013218822.tif 000019
【図１８】
2013218822.tif 000020
【図１９】
2013218822.tif 000021
【図２０】
2013218822.tif 000022
【図２１】
2013218822.tif 000023
【図２２】
2013218822.tif 000024
【図２３】
2013218822.tif 000025
【図２４】
2013218822.tif 000026